(57)【要約】【課題】ネットワーク等の知識を必要とすることなく情報伝送装置のＩＰアドレスを簡単に設定することを可能とする。【解決手段】ＩＰネットワークを介して情報を伝送する情報伝送装置にディップスイッチ等で構成される設定スイッチ２３を設けて、この設定スイッチ３により自装置の識別情報を設定するようにする。ＣＰＵ２１は、アドレス変換部２４により設定スイッチ２３において設定された装置の識別情報をホスト・アドレス部に変換して、変換されたホスト・アドレス部を含むＩＰアドレスを情報伝送装置の通信インタフェースに割り当てる。【選択図】      図２
2008193600.tif 000002
【特許請求の範囲】
【請求項１】
ＩＰ（Internet Protocol）ネットワークを介して他装置との間で情報を伝送する通信インタフェースと、
前記通信インタフェースが前記ＩＰネットワークを介して情報の送受信を行うために使用する、ネットワーク識別情報とホスト識別情報とを有するＩＰアドレスを生成するＩＰアドレス設定ユニットと
を具備し、
前記ＩＰアドレス設定ユニットは、
自装置を識別する第１の識別情報を設定する複数の接点を有する第１の設定スイッチと、
前記第１の設定スイッチにより設定された第１の識別情報を前記ＩＰアドレスのホスト識別情報に変換する第１の変換手段と
前記第１の変換手段により変換されたホスト識別情報を含むＩＰアドレスを前記通信インタフェースに割り当てる割当手段と
を備えることを特徴とする情報伝送装置。
【請求項２】
前記ＩＰアドレス設定ユニットは、
自装置の属するグループを識別する第２の識別情報を設定する複数の接点を有する第２の設定スイッチと、
前記第２の設定スイッチにより設定された第２の識別情報を前記ＩＰアドレスのネットワーク識別情報に変換する第２の変換手段と
をさらに備え、
前記割当手段は、前記第１の変換手段により変換されたホスト識別情報と前記第２の変換手段により変換されたネットワーク識別情報とを含むＩＰアドレスを前記通信インタフェースに割り当てることを特徴とする請求項１記載の情報伝送装置。
【請求項３】
前記ＩＰアドレス設定ユニットは、
前記通信インタフェースにより前記ＩＰネットワークを介して前記他装置において設定された第１の識別情報又はＩＰアドレスを取得し、取得された第１の識別情報又はＩＰアドレスをもとに未設定の第１の識別情報を表示する表示手段をさらに備えることを特徴とする請求項１又は２記載の情報伝送装置。
【発明の詳細な説明】
【技術分野】
【０００１】
この発明は、ＩＰ（Internet Protocol）ネットワークを介して情報を伝送する情報伝送装置に関する。
【背景技術】
【０００２】
例えば、ネットワーク監視システムにＩＰカメラを接続するには、ＩＰカメラのＩＰアドレスをそのネットワークに合わせて設定する必要がある。一般的に、ＩＰ機器のＩＰアドレスを設定するには、パーソナルコンピュータやワークステーションをケーブルによりＩＰ機器に接続し、ネットワーク経由で設定を行っている。具体的な手順としては、パーソナルコンピュータを起動してＩＰ機器のアドレスを調べ、パーソナルコンピュータのネットワークグループをＩＰ機器のネットワークグループに合わせる。そして、ＩＰ機器の設定ページにアクセスしてＩＰアドレスを設定する。このようにＩＰアドレスの設定には、ネットワークやＯＳ（Operation System）等の知識を必要とする。
【０００３】
なお、従来技術として、ネットワーク集線装置（ＨＵＢ）にスイッチを設け、このスイッチによりＩＰアドレスを設定する手法が提供されている（例えば、特許文献１を参照。）。
【０００４】
【特許文献１】特開平８−２５１２１７号公報
【発明の開示】
【発明が解決しようとする課題】
【０００５】
上述したように、ＩＰアドレスの設定には、ネットワークやＯＳ等に関する知識を必要とする。このため、ユーザ自身で簡単に設定できない場合も多く、サポートセンターに問い合わせたり、専門の業者を呼び寄せたりしなければならず手間と時間がかかっていた。
【０００６】
この発明は上記事情に着目してなされたもので、その目的とするところは、ネットワーク等の知識を必要とすることなく装置のＩＰアドレスを簡単に設定することができる情報伝送装置を提供することにある。
【課題を解決するための手段】
【０００７】
上記目的を達成するためにこの発明に係る情報伝送装置は、ＩＰネットワークを介して他装置との間で情報を伝送する通信インタフェースと、前記通信インタフェースが前記ＩＰネットワークを介して情報の送受信を行うために使用する、ネットワーク識別情報とホスト識別情報とを有するＩＰアドレスを生成するＩＰアドレス設定ユニットとを具備し、前記ＩＰアドレス設定ユニットは、自装置を識別する第１の識別情報を設定する複数の接点を有する第１の設定スイッチと、前記第１の設定スイッチにより設定された第１の識別情報を前記ＩＰアドレスのホスト識別情報に変換する第１の変換手段と前記第１の変換手段により変換されたホスト識別情報を含むＩＰアドレスを前記通信インタフェースに割り当てる割当手段とを備えることを特徴とする。
【０００８】
上記構成による情報伝送装置では、ＩＰカメラ等の情報入出力装置に装置毎に異なる第１の識別情報を設定可能な第１の設定スイッチを取り付ける。そして、この第１の設定スイッチにより設定された第１の識別情報をＩＰアドレスに変換して情報入出力装置の通信インタフェースに割り当てる。このようにすることで、ネットワーク等の知識がなくても、簡単な操作でＩＰアドレスを設定することが可能となる。
【０００９】
また、この発明は次のような各種構成を備えることも特徴とする。
第１の構成は、上記ＩＰアドレス設定ユニットは、自装置の属するグループを識別する第２の識別情報を設定する複数の接点を有する第２の設定スイッチと、上記第２の設定スイッチにより設定された第２の識別情報を上記ＩＰアドレスのネットワーク識別情報に変換する第２の変換手段とをさらに備え、上記割当手段は、上記第１の変換手段により変換されたホスト識別情報と上記第２の変換手段により変換されたネットワーク識別情報とを含むＩＰアドレスを上記通信インタフェースに割り当てることを特徴とする。  
このようにすると、第２の設定スイッチにおいて装置の属するグループを設定するだけで、ＩＰアドレスの知識を必要とすることなく、グループ毎の通信範囲を容易に設定することが可能となる。
【００１０】
第２の構成は、前記通信インタフェースにより前記ＩＰネットワークを介して前記他装置において設定された第１の識別情報又はＩＰアドレスを取得し、取得された第１の識別情報又はＩＰアドレスをもとに未設定の第１の識別情報を表示する表示手段をさらに備えることを特徴とする。  
このようにすると、他装置で未だ設定されていない第１の識別情報が表示されるため、ＩＰネットワーク上に多数の装置が接続されている場合でも、他装置と重複することなく容易に第１の識別情報を設定することが可能となる。
【発明の効果】
【００１１】
したがってこの発明によれば、ネットワーク等の知識を必要とすることなく装置のＩＰアドレスを簡単に設定することができる情報伝送装置を提供することができる。また、装置が故障した際、ＩＰアドレスでは判断できないが、設定スイッチにより故障した装置を一目で特定できるため、容易に装置の交換が可能である。
【発明を実施するための最良の形態】
【００１２】
以下、図面を参照してこの発明の実施形態について詳細に説明する。  
（第１の実施形態）  
図１は、この発明に係る第１の実施形態の情報伝送装置を用いたネットワーク監視システムの一例を示す構成図である。  
このシステムは、Ｗｅｂエンコーダ１００と、カメラ１１０と、Ｗｅｂデコーダ２００と、表示装置２１０とを備え、情報伝送装置であるＷｅｂエンコーダ１００とＷｅｂデコーダ２００との間がＩＰネットワークで接続されている。
【００１３】
Ｗｅｂエンコーダ１００は、マイクロプロセッサ等の中央処理ユニット（ＣＰＵ：Central Processing Unit）１０１を備え、このＣＰＵ１０１にカメラインタフェース（カメラＩ／Ｆ）１０２と、圧縮処理部１０３と、通信インタフェース（通信Ｉ／Ｆ）１０４と、アドレス設定ユニット１０５とが接続される。カメラＩ／Ｆ１０２にはカメラ１１０が接続され、ＣＰＵ１０１の制御の下、カメラ１１０で撮像された映像データがカメラインタフェース１０２により取り込まれる。ＣＰＵ１０１は、取り込まれた映像データを圧縮処理部１０３により所定のフォーマットで圧縮したのちに、通信インタフェース１０４によりＷｅｂデコーダ２００に向けて送信する。
【００１４】
Ｗｅｂデコーダ２００は、ＣＰＵ２０１と、表示装置インタフェース（表示装置Ｉ／Ｆ）２０２と、伸長処理部２０３と、通信Ｉ／Ｆ２０４と、アドレス設定ユニット２０５とを備える。表示装置Ｉ／Ｆ２０２にはＬＣＤ等の表示装置２１０が接続される。ＣＰＵ２０１は、Ｗｅｂエンコーダ１００からＩＰネットワークを介して送られてくる圧縮された映像データを通信Ｉ／Ｆ２０４により受信する。ＣＰＵ２０１は、受信された映像データを伸長処理部２０３において伸長し、伸長された映像データを表示装置Ｉ／Ｆ２０２を介して表示装置２１０に出力する。
【００１５】
ここで、Ｗｅｂエンコーダ１００に設けられるアドレス設定ユニット１０５について説明する。なお、Ｗｅｂデコーダ２００のアドレス設定ユニット２０５は、アドレス設定ユニット１０５と同一構成のため説明を省略する。図２は、アドレス設定ユニット１０５の構成を示す機能ブロック図である。
【００１６】
アドレス設定ユニット１０５は、ＣＰＵ２１と、スイッチインタフェース（スイッチＩ／Ｆ）２２と、設定スイッチ２３と、アドレス変換部２４と、アドレス管理部２５と、アドレス記憶部２６とを備える。図３は、設定スイッチ２３の構成の一例を示す図である。この実施形態では、設定スイッチ２３は、複数のディップスイッチで構成される。ユーザはこの設定スイッチ２３により情報伝送装置の識別情報（装置ＩＤ）や属するグループの識別情報（グループＩＤ）を設定する。
【００１７】
図３において、ディップスイッチ１は、この設定スイッチ３による簡単設定機能のＯＮ／ＯＦＦの選択に用いられる。ディップスイッチ２〜６は、各装置を識別する装置ＩＤの設定に用いられる。ディップスイッチ７，８は、各装置の属するグループを識別するグループＩＤの設定に用いられる。図３に示す設定スイッチ３では、４つのグループを形成することができ、同一グループ内にそれぞれ３２台の装置を登録することができる。またディップスイッチの状態変更は電源ＯＮ時には行なえないものとし、変更された内容は次回の起動時から反映されるものとする。また、この設定スイッチ３は、同一グループ内で装置ＩＤの重複があることを示す重複エラーランプＡと、親装置の不在を示す親不在ランプＢとを備える。なお、重複エラーランプＡ及び親不在ランプＢの替わりに音声ユニットを用いてエラーを通知することもできる。例えば、連続音の場合は同一グループ内で装置ＩＤの重複があることを示し、断続音の場合は親装置の不在を示すようにする。
【００１８】
ＣＰＵ２１は、各ディップスイッチにおいて設定された値をスイッチＩ／Ｆ２２により取得する。そして、ＣＰＵ２１は、上記取得された値をアドレス変換部２４においてＩＰアドレスに変換する。ＣＰＵ２１は、変換されたＩＰアドレスをアドレス記憶部２６に記憶すると共に、Ｗｅｂエンコーダ１００の通信Ｉ／Ｆ１０４に割り当てる。
【００１９】
ＩＰアドレスは、ホストを指定するホスト・アドレス部と、ホストが所属するネットワークを指定するネットワーク・アドレス部で構成される。ここでは、ＩＰアドレスのセグメントは「１９２．１６８．ｙｙｙ．ｘｘｘ／２４」を使用し、ディップスイッチ７，８をＩＰアドレスのセグメント“ｙｙｙ”に、ディップスイッチ２〜６をホスト部“ｘｘｘ”にそれぞれ対応付ける。ＩＰアドレスのセグメント“ｙｙｙ”には、ディップスイッチ７，８で設定されたグループＩＤ（０〜３）を使用する。ＩＰアドレスのホスト部“ｘｘｘ”の範囲は６６〜９７とし、ディップスイッチ２〜６で設定される装置ＩＤを「装置ＩＤ：０＝ＩＰアドレス：６６」〜「装置ＩＤ：３１＝ＩＰアドレス：９７」に変換する。
【００２０】
次に、このように構成されたＩＰアドレス設定ユニットの動作について説明する。  
図３は、上記ネットワーク監視システムにおけるＩＰアドレス設定ユニットの処理手順とその処理内容を示すシーケンス図である。Ｗｅｂエンコーダ１００に設けられたアドレス設定ユニット１０５は、Ｗｅｂデコーダ２００のアドレス設定ユニット２０５と同一のグループＩＤが設定され、装置ＩＤ＝０で動作中であるものとする。以下、装置ＩＤ＝０に設定されたＷｅｂエンコーダ１００を親装置と称する。
【００２１】
Ｗｅｂデコーダ２００が起動されると、アドレス設定ユニット２０５のＣＰＵ２１は、設定スイッチ２３の設定値を取得する（ステップＳ４ａ）。ＣＰＵ１は、取得された設定値をもとに、まずディップスイッチ１の値により簡単設定機能がＯＮであるか否かを判定する（ステップＳ４ｂ）。この判定により簡単設定機能がＯＦＦと判定された場合には、処理を終了する。
【００２２】
簡単設定機能がＯＮであると判定された場合には、ＣＰＵ２１は、アドレス変換部２４により上述した手法に基づいて設定スイッチ２３の設定値（グループＩＤ及び装置ＩＤ）をＩＰアドレスに変換する（ステップＳ４ｃ）。そして、ＣＰＵ２１は、変換されたＩＰアドレスをＷｅｂデコーダ２００の通信Ｉ／Ｆ２０４に割り当てて、ＩＰアドレスの重複チェックを行う（ステップＳ４ｄ）。各装置は起動時に簡単設定機能がＯＮになっている場合は、設定スイッチ３のディップスイッチの設定値をもとに変換されたＩＰアドレスを使用する。ただし、ネットワーク上で他の装置が同じＩＰアドレスを使用している可能性がある。ＩＰアドレスの重複が発生すると各装置は正常動作ができないので、起動時にＩＰアドレスの重複チェックを行う。
【００２３】
ＩＰアドレスの重複チェックはＡＲＰプロトコル（Gratuitous ARP）を使用して行う。各装置は起動後にネットワークに対してディップスイッチで設定された値をもとに変換されたＩＰアドレスの検索を行うＡＲＰリクエストを送信する。ＡＲＰリクエストに対してＡＲＰリプライが返送された場合には他の装置が同一ＩＰアドレスを使用中であるため、自装置のＩＰアドレスを０．０．０．０に設定しなおし、設定スイッチ３の重複エラーランプＡを点灯させて、ＩＰアドレスの重複を報知する（ステップＳ４ｅ）。ＡＲＰリクエストに対してＡＲＰリプライがない場合は、同一ＩＰアドレスを使用する他の装置は存在しないので処理を続行する。
【００２４】
ＩＰアドレスの重複チェックにおいて重複がないと判定された場合には、上記変換されたＩＰアドレスを用いて装置の種別等の装置情報を親装置に送信する（ステップＳ４ｆ）。親装置がＩＰネットワーク上に存在しない場合には、設定スイッチ３に親不在ランプＢを点灯させて、ＩＤ＝０の親装置が不在であることを示す（ステップＳ４ｇ）。
【００２５】
一方、親装置であるＷｅｂエンコーダ１００は、ＩＰネットワーク経由で送られてくる装置情報を受信する（ステップＳ４ｈ）。そして、アドレス設定ユニット１０５のアドレス管理部２５は、上記受信された装置情報を送信元のＩＰアドレスに対応付けてアドレス記憶部２６のアドレスリストに追加する（ステップＳ４ｉ）。そして、アドレス設定ユニット１０５のＣＰＵ２１は、Ｗｅｂデコーダ２００が追加されたアドレスリストをネットワーク上の同一グループの装置にそれぞれ送信する（ステップＳ４ｊ）。Ｗｅｂデコーダ２００のアドレス設定ユニット２０５は、受信されたアドレスリストをアドレス記憶部２６に記憶する（ステップＳ４ｋ）。
【００２６】
以上述べたように上記第１の実施形態では、Ｗｅｂエンコーダ１００にディップスイッチ等で構成される設定スイッチ３を設けて、この設定スイッチ３により装置ＩＤ及びグループＩＤを設定するようにする。そして、アドレス変換部２４は、この設定スイッチ２３により設定された装置ＩＤをホスト・アドレス部に、グループＩＤをネットワーク・アドレス部にそれぞれ対応付けてＩＰアドレスに変換し、変換されたＩＰアドレスを通信Ｉ／Ｆ１０４に割り当てる。
【００２７】
したがって上記第１の実施形態によれば、設定スイッチ３により装置毎に異なる装置ＩＤを設定するだけで、ネットワークやＯＳ等の知識が無くても、各装置のＩＰアドレスを簡単に設定することが可能となる。また、設定スイッチ３において装置の属するグループを識別するグループＩＤを設定するだけで、ＩＰアドレスの知識を必要とすることなく、グループ毎の通信範囲を容易に設定することができる。さらに、この設定スイッチ３のディップスイッチ１により、手動で簡単にＩＰアドレスの簡単設定機能の有効／無効を切り替えることが可能となる。
【００２８】
（第２の実施形態）  
この発明の第２の実施形態は、上記第１の実施形態のアドレス設定ユニットにさらにメンテナンス機能を設け、メンテナンスモードがＯＮにされた場合にネットワーク上で未設定の設定スイッチの設定値（ディップパターン）を表示するようにしたものである。
【００２９】
図５は、第２の実施形態に係るアドレス設定ユニットの構成を示す機能ブロック図である。なお、上記図１と同一部分には同一符号を付し、詳しい説明は省略する。アドレス設定ユニット１０５Ａは、第１の実施形態と同様に、ＣＰＵ２１と、スイッチＩ／Ｆ２２と、設定スイッチ２３と、アドレス変換部２４と、アドレス管理部２５と、アドレス記憶部２６とを備え、さらにメンテナンス処理部２７を備える。また、設定スイッチ２３にはメンテナンス機能をＯＮ／ＯＦＦするメンテナンスモード用ディップスイッチが追加される。このメンテナンスモード用ディップスイッチの他にも、タッチパネルや操作器等を用いてメンテナンスモードへの切り替えを行うようにしてもよい。
【００３０】
メンテナンス処理部２７は、メンテナンスモード用ディップスイッチがＯＮにされると、ＣＰＵ２１により実行される。ＣＰＵ２１は、メンテナンス処理部２７により他装置の設定スイッチ２３で設定されている設定値又はＩＰアドレスをＩＰネットワークを介して取得し、取得された設定値又はＩＰアドレスをもとに未設定の設定スイッチ２３の値をディップパターンでモニタ等に表示する。Ｗｅｂデコーダ２００の場合には表示装置２１０に表示し、Ｗｅｂエンコーダ１００の場合にはモニタ等を接続して表示する。もちろん、Ｗｅｂエンコーダ等の装置自体に表示部を持たせても良い。
【００３１】
次に、メンテナンス処理部２７の動作について説明する。図６は、メンテナンス処理部の動作の手順とその内容を示すフローチャートである。  
図６において、アドレス設定ユニット１０５ＡのＣＰＵ２１は、設定スイッチ２３のメンテナンスモード用ディップスイッチがＯＮにされたのを検知する（ステップＳ６ａ）。そうすると、ＣＰＵ２１はメンテナンス処理部２７により、設定スイッチ２３のディップパターンにより表される装置ＩＤをもとに子装置であるか否かを判定する（ステップＳ６ｂ）。この判定において子装置であると判定された場合は、ＣＰＵ２１は、親装置から既に設定済みの設定スイッチ２３の設定値又はＩＰアドレスをＩＰネットワークを介して取得する（ステップＳ６ｃ）。ＣＰＵ２１は、取得された設定値又はＩＰアドレスをもとに未設定の設定スイッチ２３のディップパターンを検出し、モニタ等に表示する（ステップＳ６ｄ）。
【００３２】
この表示例を図７に示す。メンテナンス用ディップスイッチによりメンテナンスモードに切り替わると、このように未設定の設定スイッチ２３のディップパターンがモニタ画面に一覧表示される。図７に示すように、設定スイッチ２３のディップパターンと共にＩＰアドレスを表示することもできる。
【００３３】
設定スイッチ２３の設定値により装置ＩＤが重複する場合には、ディップスイッチ２〜６の設定値を適当に変更し、再起動、エラー確認を繰り返し行う必要がある。Ｗｅｂエンコーダ、Ｗｅｂデコーダ等の台数が少ない場合は問題ないが、数十台となった場合に全ての装置について重複しないように装置ＩＤを設定するのはかなりの手間となる。そこで、上述したようなメンテナンス機能を設けることにより、モニタに接続可能なＷｅｂデコーダやＷｅｂエンコーダにおいて設定スイッチの空きディップパターン（設定値）を簡単に把握することができる。
【００３４】
なお、この発明は上記各実施形態に限定されるものではない。例えば、上記実施形態では、設定スイッチ２３をディップスイッチで構成したが、この他にもロータリスイッチや各種スイッチ、設定用部品等で構成することもできる。また、上記ＩＰアドレス設定ユニットをＷｅｂエンコーダ、Ｗｅｂデコーダを例えばＩＰカメラ、多チャンネルエンコーダ、記録装置等の他のＩＰ機器に用いることももちろん可能である。その他にも、ＩＰアドレス設定ユニットの構成及び動作の手順とその内容についてもこの発明の要旨を逸脱しない範囲で種々に変形して実施できる。
【００３５】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００３６】
【図１】この発明に係る第１の実施形態の情報伝送装置を用いたネットワーク監視システムの一実施形態を示す図。
【図２】情報伝送装置に設けられるＩＰアドレス設定ユニットの構成を示す機能ブロック図。
【図３】設定スイッチの構成の一例を示す図。
【図４】図１に示すネットワーク監視システムにおけるＩＰアドレス設定ユニットの処理手順とその処理内容を示すシーケンス図。
【図５】第２の実施形態に係るアドレス設定ユニットの構成を示す機能ブロック図。
【図６】メンテナンス処理部の動作の手順とその内容を示すフローチャート。
【図７】メンテナンスモードにおける空きディップパターン及びＩＰアドレスの表示例を示す図。
【符号の説明】
【００３７】
１００…Ｗｅｂエンコーダ、１０１…ＣＰＵ、１０２…カメラインタフェース、１０３…エンコーダ、１０４…通信インタフェース、１０５…アドレス設定ユニット、１１０…カメラ、２００…Ｗｅｂデコーダ、２０１…ＣＰＵ、２０２…表示装置インタフェース、２０３…デコーダ、２０４…通信インタフェース、２０５…アドレス設定ユニット、２１０…表示装置、２１…ＣＰＵ、２２…スイッチインタフェース、２３…設定スイッチ、２４…アドレス変換部、２５…アドレス管理部、２６…アドレス記憶部、１〜８…ディップスイッチ、Ａ…重複エラーランプ、Ｂ…親不在ランプ、１０５Ａ…アドレス設定ユニット、２７…メンテナンス処理部。
【図１】
2008193600.tif 000003
【図２】
2008193600.tif 000004
【図３】
2008193600.tif 000005
【図４】
2008193600.tif 000006
【図５】
2008193600.tif 000007
【図６】
2008193600.tif 000008
【図７】
2008193600.tif 000009